(57)【要約】【課題】コインの不正な抜き取りの続発を防止する。【解決手段】コインを投入してゲームを行いゲーム状態に応じた枚数のコインを払い出すゲーム機のコインホッパーにコインを補給するコイン補給ラインを設け、ゲーム機のコインホッパー内のコインが少なくなると所定枚数に区切ったコインをコイン補給ラインからバッチ的に補給するように制御し、ゲーム機のゲーム状態の情報を出力するゲーム情報出力手段を設け、コイン補給ラインの途中にコインの通過を検知するコインセンサーを設け、同コインセンサーの１回のバッチ補給時のコイン検知枚数がゲーム情報出力手段からのゲーム状態の情報に応じて定められた設定枚数を超えた場合に不正の可能性を示す信号を出力する不正検出手段を設けた。【選択図】          図３
2004236780.tif 000002
【特許請求の範囲】
【請求項１】
コインを投入してゲームを行いゲーム状態に応じた枚数のコインを払い出すゲーム機内に投入されたコインを払い出し時まで一時的に収容するコインホッパーを設け、同コインホッパーにコインを補給するコイン補給ラインを設け、ゲーム機のコインホッパー内のコインが少なくなるとコインをコイン補給ラインからバッチ的に補給するように制御し、ゲーム機のゲーム状態の情報を出力するゲーム情報出力手段を設けた遊技設備において、前記コイン補給ラインの途中にコインの通過を検知するコインセンサーを設け、同コインセンサーの１回のバッチ補給時のコイン検知枚数がゲーム情報出力手段からのゲーム状態の情報に応じて定められた設定枚数を超えた場合に不正の可能性を示す信号を出力する不正検出手段を設けたことを特徴とする遊技設備の不正検出装置。
【請求項２】
設定枚数を、ゲーム情報出力手段からのゲーム状態の情報が大当たりの場合には大当たり時に通常補給されるべき枚数より多い枚数とした請求項１記載の遊技設備の不正検出装置。
【請求項３】
設定枚数が、ゲーム情報出力手段からのゲーム状態の情報が大当たりで無い場合に０又は大当たりで無い場合に通常補給されるべき枚数より多い枚数とした請求項１又は２記載の遊技設備の不正検出装置。
【請求項４】
貨幣を投入するとゲームに使用するコインを払い出すコイン貸し機にコインを補給するコイン補給ラインを設け、貨幣が投入されると投入金額に応じた枚数のコインをコイン補給ラインから自動的に一括補給させる制御手段を設けた遊技設備において、前記コイン補給ラインの途中にコインの通過を検知するコインセンサーを設け、同コインセンサーの検知枚数が投入金額に応じて定められた設定枚数を超えた場合に不正の可能性を示す信号を出力する不正検出手段を設けたことを特徴とする遊技設備の不正検出装置。
【請求項５】
貨幣未投入時又は投入金額が予め定められた最低投入金額に達していない場合に補給が発生すると不正の可能性を示す信号を出力するようにした請求項４記載の遊技設備の不正検出装置。
【請求項６】
コイン貸し機から投入金額に応じて払い出されたコインをゲーム機に使用して使い切る消化時間に達していない場合に補給が発生すると不正の可能性を示す信号を出力するようにした請求項４又は５記載の遊技設備の不正検出装置。
【請求項７】
コイン補給ラインの途中にコインの流れを遮蔽する開閉自在なゲートを設け、コイン補給ラインの側面に前記ゲートで遮蔽されたコインを排出する切欠きを設け、同切欠きに排出されたコインを取り入れる樋を設け、同樋に取り入れたコインを複数の仕切板によって整列させる複列のコイン通路を形成し、同各コイン通路にコインセンサーをそれぞれ設けて多数枚のコインを同時に検知できるようにした請求項１〜６いずれか記載の遊技設備の不正検出装置。
【請求項８】
コイン補給ラインの切欠きの幅をコイン補給ラインの搬送面の幅より拡幅に形成し、コインを円滑に取り入れできるようにした請求項７記載の遊技設備の不正検出装置。
【請求項９】
ゲートをコインが切欠きに案内されるように斜めに形成し、各仕切板を前記ゲートの角度と略同じ角度の向きになるように設け、コインをより円滑に取り入れできるようにした請求項７又は８記載の遊技設備の不正検出装置。
【請求項１０】
コイン補給ラインに補給するコインを重ならないようにして１枚ずつ並べるコイン重なり防止手段を設け、コイン通路のコインが１列に送られるようにしてコインセンサーが正確な枚数を検知できるようにした請求項１〜９いずれか記載の遊技設備の不正検出装置。
【請求項１１】
コイン重なり防止手段が、コイン補給ラインの搬送面上にゲートをその下端が搬送面からコインの厚さと略同じ高さとなるように設け、コイン補給ライン上で重なった上側のコインを前記ゲートで遮蔽して１枚ずつ並べた状態でコインセンサーを通過させるようにしたものである請求項１０記載の遊技設備の不正検出装置。
【請求項１２】
コイン重なり防止手段が、コイン補給ラインの搬送面上にコインを搬送方向と逆方向に送るように回転するロールをそのロール面が搬送面からコインの厚さと略同じ高さとなるように設け、コイン補給ライン上で重なった上側のコインを前記ロールで後方へ払去して１枚ずつ並べた状態でコインセンサーを通過させるようにしたものである請求項１０記載の遊技設備の不正検出装置。
【発明の詳細な説明】
【０００１】
【発明の属する技術分野】
本発明は、コイン・硬貨・メダル類（以下コインという）を使用してゲームを行うスロットマシン等のゲーム機又はそのゲーム機用のコインを遊技者に貸し出すコイン貸し機へコインを自動的に補給する遊技設備のコイン自動補給装置において、悪質な遊技者によるゲーム機やコイン貸し機からのコインの不正な抜き出しを検出して管理者に警報する技術に関する。
【０００２】
【従来の技術】
遊技設備において、悪質な遊技者が特殊な器具等を用いてゲーム機又はコイン貸し機に電磁波や磁力等を作用させることで内部機器を狂わせ、設定された枚数以上のコインを抜き出してゲームを不正に行っているケースがみられる。
【０００３】
このような不正が行なわれると、正しくゲームを行っている他の遊技者に対して不公平となるばかりか、遊技設備を運営する者にとっても損害が生じることになる。従来では管理者が遊技場内を巡回しながら目視で監視したり、遊技場内に設置した監視カメラで監視してこれらの不正をチェックしていたが、近年では不正が巧妙になってきて目視によるチェックでは発見が困難となっている。
【０００４】
【発明が解決しようとする課題】
本発明が解決しようとする課題は、従来のこれらの問題点を解消し、コイン補給ラインに設けた補給されるコインを検知するセンサーで補給枚数をチェックし、ゲーム状態や貨幣投入金額に応じて設定された枚数以上の補給が発生すると不正と判断して管理者に警報できるようにした遊技設備の不正検出装置を提供することにある。
【０００５】
【課題を解決するための手段】
かかる課題を解決した本発明の構成は、
１）  コインを投入してゲームを行いゲーム状態に応じた枚数のコインを払い出すゲーム機内に投入されたコインを払い出し時まで一時的に収容するコインホッパーを設け、同コインホッパーにコインを補給するコイン補給ラインを設け、ゲーム機のコインホッパー内のコインが少なくなるとコインをコイン補給ラインからバッチ的に補給するように制御し、ゲーム機のゲーム状態の情報を出力するゲーム情報出力手段を設けた遊技設備において、前記コイン補給ラインの途中にコインの通過を検知するコインセンサーを設け、同コインセンサーの１回のバッチ補給時のコイン検知枚数がゲーム情報出力手段からのゲーム状態の情報に応じて定められた設定枚数を超えた場合に不正の可能性を示す信号を出力する不正検出手段を設けたことを特徴とする遊技設備の不正検出装置
２）  設定枚数を、ゲーム情報出力手段からのゲーム状態の情報が大当たりの場合には大当たり時に通常補給されるべき枚数より多い枚数とした前記１）記載の遊技設備の不正検出装置
３）  設定枚数が、ゲーム情報出力手段からのゲーム状態の情報が大当たりで無い場合に０又は大当たりで無い場合に通常補給されるべき枚数より多い枚数とした前記１）又は２）記載の遊技設備の不正検出装置
４）  貨幣を投入するとゲームに使用するコインを払い出すコイン貸し機にコインを補給するコイン補給ラインを設け、貨幣が投入されると投入金額に応じた枚数のコインをコイン補給ラインから自動的に一括補給させる制御手段を設けた遊技設備において、前記コイン補給ラインの途中にコインの通過を検知するコインセンサーを設け、同コインセンサーの検知枚数が投入金額に応じて定められた設定枚数を超えた場合に不正の可能性を示す信号を出力する不正検出手段を設けたことを特徴とする遊技設備の不正検出装置
５）  貨幣未投入時又は投入金額が予め定められた最低投入金額に達していない場合に補給が発生すると不正の可能性を示す信号を出力するようにした前記４）記載の遊技設備の不正検出装置
６）  コイン貸し機から投入金額に応じて払い出されたコインをゲーム機に使用して使い切る消化時間に達していない場合に補給が発生すると不正の可能性を示す信号を出力するようにした前記４）又は５）記載の遊技設備の不正検出装置
７）  コイン補給ラインの途中にコインの流れを遮蔽する開閉自在なゲートを設け、コイン補給ラインの側面に前記ゲートで遮蔽されたコインを排出する切欠きを設け、同切欠きに排出されたコインを取り入れる樋を設け、同樋に取り入れたコインを複数の仕切板によって整列させる複列のコイン通路を形成し、同各コイン通路にコインセンサーをそれぞれ設けて多数枚のコインを同時に検知できるようにした前記１）〜６）いずれか記載の遊技設備の不正検出装置
８）  コイン補給ラインの切欠きの幅をコイン補給ラインの搬送面の幅より拡幅に形成し、コインを円滑に取り入れできるようにした前記７）記載の遊技設備の不正検出装置
９）  ゲートをコインが切欠きに案内されるように斜めに形成し、各仕切板を前記ゲートの角度と略同じ角度の向きになるように設け、コインをより円滑に取り入れできるようにした前記７）又は８）記載の遊技設備の不正検出装置
１０）  コイン補給ラインに補給するコインを重ならないようにして１枚ずつ並べるコイン重なり防止手段を設け、コイン通路のコインが１列に送られるようにしてコインセンサーが正確な枚数を検知できるようにした前記１）〜９）いずれか記載の遊技設備の不正検出装置
１１）  コイン重なり防止手段が、コイン補給ラインの搬送面上にゲートをその下端が搬送面からコインの厚さと略同じ高さとなるように設け、コイン補給ライン上で重なった上側のコインを前記ゲートで遮蔽して１枚ずつ並べた状態でコインセンサーを通過させるようにしたものである前記１０）記載の遊技設備の不正検出装置
１２）  コイン重なり防止手段が、コイン補給ラインの搬送面上にコインを搬送方向と逆方向に送るように回転するロールをそのロール面が搬送面からコインの厚さと略同じ高さとなるように設け、コイン補給ライン上で重なった上側のコインを前記ロールで後方へ払去して１枚ずつ並べた状態でコインセンサーを通過させるようにしたものである前記１０）記載の遊技設備の不正検出装置
にある。
【０００６】
【作用】
本発明によれば、コイン補給ラインの途中にコインの通過を検知するコインセンサーを設けたことで、ゲーム機の場合は、ゲーム結果が大当たり時の補給又は大当たりで無い時のゲーム結果に対応する設定した払出枚数以上の補給が発生すると不正と判断して管理者に警報し、コイン貸し機の場合は、貨幣未投入時の補給又は貨幣投入金額に対応する設定した払出枚数以上の補給が発生すると不正と判断して管理者に警報し、不正の続発が防止される。
【０００７】
【発明の実施の形態】
本発明では、コイン補給ラインの途中にコインの流れを遮蔽する開閉自在なゲートを設け、コイン補給ラインの側面に前記ゲートで遮蔽されたコインを排出する切欠きを設け、同切欠きに排出されたコインを取り入れる樋を設け、同樋に取り入れたコインを仕切板によって複列にする複数のコイン通路を形成し、同各コイン通路にコインセンサーをそれぞれ設けたものが、多数枚のコインを同時に検知できて効率が向上する。また、コイン補給ラインの切欠きの幅をコイン補給ラインの搬送面の幅より拡幅に形成すると、コインが行き詰まることなく円滑に取り入れできて好ましい。さらに、ゲートの先端を切欠き側が鈍角となるように斜めに形成し、各仕切板を前記ゲート先端の角度と略同じ角度の向きになるように設けると、コインの流れがより円滑になって好ましい。
【０００８】
コイン補給ラインの途中には、補給するコインが上下に重ならないように１枚ずつ並べるコイン重なり防止手段を設けると、コインセンサーが正確な枚数を検知できる。コイン重なり防止手段としては、例えばコイン補給ラインの搬送面上にゲートをその下端が搬送面からコインの厚さと略同じ高さとなるように設け、コイン補給ライン上で重なった上側のコインを前記ゲートで遮蔽して１枚ずつ並べた状態でコインセンサーを通過させるようにしたものや、コイン補給ラインの搬送面上にコインを搬送方向と逆方向に送るように回転するロールをそのロール面が搬送面からコインの厚さと略同じ高さとなるように設け、コイン補給ライン上で重なった上側のコインを前記ロールで後方へ払去して１枚ずつ並べた状態でコインセンサーを通過させるようにしたものがあり、使用するコインの種類や耐久性、コストを考慮して任意に選ばれる。
【０００９】
コイン貸し機では不正が貨幣未投入時又は投入金額が予め定められた最低投入金額に達していない場合に補給が発生した場合の他、ゲーム機とコイン貸し機が隣接して並設された遊技設備では、コイン貸し機から投入金額に応じて払い出されたコインをゲーム機に使用して使い切る消化時間に達していないとき補給が発生した場合に不正と判断するようにしてもよい。
【００１０】
制御手段は論理回路やプログラムで構成され、不正を行う者が接触できない位置に設置するのが望ましい。警報手段としては光や音，信号で知らせる公知の装置が用いられ、不正箇所で警報ランプが点滅するなど不正を行った者自身が警報を認識できる装置であれば、不正を直ちに止めさせて損害の拡大を抑制できる。以下、本発明の実施例を図面に基づいて具体的に説明する。
【００１１】
【実施例】
図１〜９に示す実施例は、スロットマシンと隣接位置に並設されるコイン貸し機それぞれにコインを自動的に補給するコイン自動補給装置に本発明を適用した例である。図１は実施例の遊技設備の説明図、図２は実施例のゲーム機の一部切欠斜視図、図３は実施例のコイン貸し機の一部切欠斜視図、図４は実施例のコイン補給装置の斜視図、図５は実施例のコイン重なり防止部の説明図、図６は実施例のコイン補給制御部の回路の説明図、図７は実施例のコインの検知を示す説明図、図８は実施例のコイン貸し機の不正検出を示す情報処理フローチャート、図９は実施例のゲーム機の不正検出を示す情報処理フローチャートである。
【００１２】
図中、１はスロットマシンであるゲーム機であって、図２に示すように前面にコイン投入口１ａを設け、同コイン投入口１ａから投入されたコインによるゲームの進行及びゲーム結果に応じた所定枚数のコインの払い出し制御を行うコントロール装置１ｂを設け、内部に多数枚のコインを一時的に収容してゲーム結果に応じた枚数のコインを払い出すコインホッパー１ｃを設け、同コインホッパー１ｃの上方にホッパー内のコインの収容量を検出するコイン量センサー１ｄを設け、コインホッパー１ｃの下方に払い出されたコインを排出するシュート１ｅを設け、同シュート１ｅの下方に排出されたコインを収容するコイン受皿１ｆを設け、コインホッパー１ｃの右側下方に余剰コインを排出するコイン排送路１ｇを設けている。
【００１３】
２はコイン貸し機であって、図３に示すように前面に貨幣を投入する貨幣投入口２ａを設け、同貨幣投入口２ａから投入された金額に応じて所定枚数のコインの補給要求及びコインの払い出し制御を行うコントロール装置２ｂを設け、内部に多数枚のコインを一時的に収容して投入金額に応じた枚数のコインを払い出すコインホッパー２ｃを設け、同コインホッパー２ｃの上方にホッパー内のコインの収容量を検出するコイン量センサー２ｄを設け、コインホッパー２ｃの下方に払い出されたコインを排出するシュート２ｅを設け、同シュート２ｅの下方に排出されたコインを収容するコイン払出口２ｆを設けている。
【００１４】
３はコイン自動補給装置であって、図１に示すように並設された複数のゲーム機１及びコイン貸し機２にコインを補給するベルトコンベヤからなるコイン補給ライン３ａを設け、各ゲーム機１から排出された余剰コインを回収するベルトコンベヤからなるコイン回収ライン３ｂを設け、回収されたコインを洗浄研磨するコイン洗浄研磨部３ｃを設け、補給するコインの上下の重なりを防止するコイン重なり防止部３ｄを設け、各コイン量センサー１ｄ，２ｄの信号を受けて所定枚数のコインの補給制御を行うコイン補給制御部３ｆを設けている。
【００１５】
コイン重なり防止部３ｄは、図５に示すようにコイン補給ライン３ａの搬送開始位置にゲート３ｅをその下端が搬送面からコインの厚さと略同じ高さとなるように立設している。コイン補給制御部３ｆの回路は、図６に示すようにＣＰＵ３ｇ，ＲＡＭ３ｈ，ＲＯＭ３ｉ，タイマ３ｊ及びインターフェイス３ｋから構成され、各コントロール装置１ｂ，２ｂと各コイン量センサー１ｄ，２ｄをインターフェイス３ｋを介して信号線３ｍで接続している。なお、コイン補給制御部３ｆの回路及びプログラムは一つに集約して制御することも可能である。
【００１６】
４はコイン補給装置であって、図４に示すようにコイン補給ライン３ａに先端が斜めに形成されたゲート４ａを上下動可能に軸支し、同ゲート４ａの側部に支持棒４ｂを突設し、同支持棒４ｂと当接して上下動することでゲート４ａの高さを調整するゲート開閉機構４ｃをコイン補給ライン３ａの側面に設け、同コイン補給ライン３ａのゲート４ａ前方側面に切欠き４ｄを形成し、同切欠き４ｄにコインを取り入れる樋４ｅを設け、同樋４ｅ内に仕切板４ｆを２枚等間隔に立設してコインを３列に分けて同時に取り入れさせるコイン通路４ｇを形成し、同各コイン通路４ｇの直下側面にコインの通過を検知する磁気式のコインセンサー４ｈをそれぞれ設け、同各コインセンサー４ｈの信号をコイン補助制御部３ｆへ信号線３ｍで送信する送信器４ｉを設け、樋４ｅの下端に取り入れたコインをゲーム機１又はコイン貸し機２へ供給するコイン供給路４ｊを配管している。
【００１７】
５は警報装置であって、コイン補給制御部３ｆがプログラム通りに作動中、何らかの不正又は異常で必要枚数以上の補給が発生した場合に警報する警報スピーカ５ａ及び警報ランプ５ｂを設けている。６はホールコンピュータ、６ａは接続部、６ｂは信号線、Ｃはコインである。
【００１８】
本実施例では、コイン自動補給装置３を作動させると、各ゲーム機１及びコイン貸し機２内の各コインホッパー１ｃ，２ｃ内のコインＣ収容量を各コイン量センサー１ｄ，２ｄで検知し、必要枚数以下であるとコイン補給装置４が図７に示すようにゲート４ａでコイン補給ライン３ａを遮蔽してコインＣをコイン通路４ｇへ案内し、各コインセンサー４ｈで１枚ずつ検知してカウントしながら所要枚数補給する。ゲーム機のコインホッパー１ｃ内は飽和すると余剰コインＣがコイン排送路１ｇでコイン回収ライン３ｂに排出され、同コイン回収ライン３ｂで回収してコイン洗浄研磨部３ｃで洗浄研磨され、コイン重なり防止部３ｄで１枚ずつ並べられて再び供給することで各コインホッパー１ｃ，２ｃ内のコインＣが必要量保持される。
【００１９】
ここで、コイン貸し機２では図８に示すようにコイン補給制御部３ｆのプログラムでコントロール装置２ｂに貨幣を投入したか否かを常時検知させており、貨幣の投入が無いのに補給が発生すると不正又は異常と判断して警報する。遊技者が貨幣投入口２ａに所定金額の貨幣を投入すると、プログラムは投入金額ａが予め設定された最低投入金額ｂ（例えば１０００円）に達しているか否かを検知し、１０００円未満で補給が発生すると警報する。異常が無い場合は予め設定した単位投入金額ｃ（例えば１０００円）とその単位投入金額当たりの払出枚数ｄ（例えば５０枚）で必要補給枚数ｅを演算して補給しながら払い出し、このときのコインセンサー４ｈの検知した実際補給枚数ｆが前記必要補給枚数ｅより多い場合は不正に抜き出されたと判断して警報する。同時にコイン補給制御部３ｆのプログラムはタイマ３ｊを用いてコイン貸し機２に一定時間内で補給されるコインＣの枚数もみており、１０分間に設定枚数（例えば１５０枚）以上のコインＣの補給が発生すると不正と判断して警報するようにしている。
【００２０】
ゲーム機１では、遊技者がコイン貸し機２で得たコインＣをコイン投入口１ａに投入してゲームを開始する。コイン補給制御部３ｆのプログラムは図９に示すように例えば大当たり時は６００枚，小当たり時は１５０枚，外れは０枚とゲーム状態ａを設定し、ゲーム中に大当たり等のイベントが発生したか否かを検知して外れの場合に補給が発生すると不正又は異常と判断して警報する。ゲームイベントが発生すると、コントロール装置１ｂからイベントに応じた信号を受信してそのゲーム状態ａと投入枚数ｂで必要補給枚数ｃを演算し、同必要補給枚数ｃがコインセンサー４ｈの検知した実際補給枚数ｄと比較して多い場合は不正に抜き出されたと判断して警報する。
【００２１】
図１０に示すのは、コイン補給装置の他の例である。図１０は実施例の他の例のコイン補給装置の一部切欠斜視図である。図中、４ｋはゲートである。実施例の他の例では、図１０に示すようにコイン補給ライン３ａの切欠き４ｄにゲート４ｋをその下端がコインＣの厚さよりやや高くなるように立設し、搬送されたコインＣが上下に重なっていてもコイン通路４ｇ直前で重なった上側のコインＣを前記ゲート４ｋで遮蔽して１枚ずつコインセンサー４ｈで正確に検知できるようにしている。その他、符号、構成は実施例と同じである。
【００２２】
図１１に示すのは、コイン補給装置の他の例である。図１１は実施例の他の例のコイン補給装置の平面図である。実施例の他の例では、図１１に示すように各仕切板４ｆをコインＣの搬送方向から鈍角に傾斜して立設し、コインＣが各コイン通路４ｇを搬送速度を減速させることなく円滑に通過させて短時間に補給できるようにしている。その他、符号、構成は実施例と同じである。
【００２３】
図１２に示すのは、コイン重なり防止部の他の例である。図１２は実施例の他の例のコイン重なり防止部の説明図である。図中、３ｎはブラシロールである。実施例の他の例では、図１２に示すようにブラシロール３ｎをそのブラシ毛端がコインＣの厚さと略同じ高さとなるように軸支してコインＣを搬送方向と逆方向に送るように回転させることで、上下方向に重なった上側のコインＣがブラシロール３ｎで後方に払去されて１枚ずつ並べた状態で供給される。その他、符号、構成は実施例と同じである。
【００２４】
【発明の効果】
以上説明したように、本発明によればコイン補給ラインの途中にコインの通過を検知するコインセンサーを設けたことで、ゲーム機の場合は、ゲーム結果が大当たり時の補給又は大当たりでない時のゲーム結果に対応する設定した払出枚数以上の補給が発生すると不正と判断して管理者に警報し、コイン貸し機の場合は、貨幣未投入時の補給又は貨幣投入金額に対応する設定した払出枚数以上の補給が発生する不正と判断して管理者に警報し、不正の続発が防止されて遊技場の健全な運営に寄与できる。
【図面の簡単な説明】
【図１】実施例の遊技設備の説明図である。
【図２】実施例のゲーム機の一部切欠斜視図である。
【図３】実施例のコイン貸し機の一部切欠斜視図である。
【図４】実施例のコイン補給装置の一部切欠斜視図である。
【図５】実施例のコイン重なり防止部の説明図である。
【図６】実施例のコイン補給制御部の回路の説明図である。
【図７】実施例のコインの検知を示す説明図である。
【図８】実施例のコイン貸し機の不正検出を示す情報処理フローチャートである。
【図９】実施例のゲーム機の不正検出を示す情報処理フローチャートである。
【図１０】実施例の他の例のコイン補給装置の一部切欠斜視図である。
【図１１】実施例の他の例のコイン補給装置の平面図である。
【図１２】実施例の他の例のコイン重なり防止部の説明図である。
【符号の説明】
１  ゲーム機
１ａ  コイン投入口
１ｂ  コントロール装置
１ｃ  コインホッパー
１ｄ  コイン量センサー
１ｅ  シュート
１ｆ  コイン受皿
１ｇ  コイン排送路
２  コイン貸し機
２ａ  貨幣投入口
２ｂ  コントロール装置
２ｃ  コインホッパー
２ｄ  コイン量センサー
２ｅ  シュート
２ｆ  コイン払出口
３  コイン自動補給装置
３ａ  コイン補給ライン
３ｂ  コイン回収ライン
３ｃ  コイン洗浄研磨部
３ｄ  コイン重なり防止部
３ｅ  ゲート
３ｆ  コイン補給制御部
３ｇ  ＣＰＵ
３ｈ  ＲＡＭ
３ｉ  ＲＯＭ
３ｊ  タイマ
３ｋ  インターフェイス
３ｍ  信号線
３ｎ  ブラシロール
４  コイン補給装置
４ａ  ゲート
４ｂ  支持棒
４ｃ  ゲート開閉機構
４ｄ  切欠き
４ｅ  樋
４ｆ  仕切板
４ｇ  コイン通路
４ｈ  コインセンサー
４ｉ  送信器
４ｊ  コイン供給路
４ｋ  ゲート
５  警報装置
５ａ  警報スピーカ
５ｂ  警報ランプ
６  ホールコンピュータ
６ａ  接続部
６ｂ  信号線
Ｃ  コイン
【図１】
2004236780.tif 000003
【図２】
2004236780.tif 000004
【図３】
2004236780.tif 000005
【図４】
2004236780.tif 000006
【図５】
2004236780.tif 000007
【図６】
2004236780.tif 000008
【図７】
2004236780.tif 000009
【図８】
2004236780.tif 000010
【図９】
2004236780.tif 000011
【図１０】
2004236780.tif 000012
【図１１】
2004236780.tif 000013
【図１２】
2004236780.tif 000014